(57)【要約】【課題】農作業車のパラソルを、視界良好な位置に配置し、簡単な構成で安価に実施でき、分解組立が容易なものとする。【解決手段】機体を操向する操作具（８）を備えたフロント操作ボックス（６）の横側部から、エンジン始動スイッチ（１１）を備えたスイッチボックス（１４）を前方に延出させて設け、このスイッチボックス（１４）には、運転席（５）の上方を覆うパラソル（１５）の支持具（１６）を挿入固定する取付ボス部（１７）を一体的に備えたパラソル取付ステー（１８）を前方に延出させて設ける。また、パラソル（１５）を、上下方向および左右前後方向に位置変更可能に構成する。【選択図】図１
2010051229.tif 000002
【特許請求の範囲】
【請求項１】
機体を操向する操作具（８）を備えたフロント操作ボックス（６）の横側部から、エンジン始動スイッチ（１１）を備えたスイッチボックス（１４）を前方に延出させて設け、このスイッチボックス（１４）には、運転席（５）の上方を覆うパラソル（１５）の支持具（１６）を挿入固定する取付ボス部（１７）を一体的に備えたパラソル取付ステー（１８）を前方に延出させて設けたことを特徴とする農作業車。
【請求項２】
前記パラソル（１５）を、上下方向および左右前後方向に位置変更可能に構成したことを特徴とする請求項１記載の農作業車。
【発明の詳細な説明】
【技術分野】
【０００１】
この発明は、コンバインや田植機等の農作業車に関する。
【背景技術】
【０００２】
従来、例えば、特許文献１には、機台上に立設した操作ボックスの右側上側部にパラソルの柄の中途部を支持する中間取付部材と、柄の下端部を機台側に嵌挿支持する下部取付部材とを設けてなるパラソル取付構造が開示されている。
【特許文献１】特開２００３−４７３２０号公報
【発明の開示】
【発明が解決しようとする課題】
【０００３】
上記従来構成のものでは、パラソルの柄を長くする必要があり、また、操作ボックスの横側は運転席に近いため、作業時におけるオペレータの視界の妨げとなり、２箇所の取り付けのため、分解組立に手間を要する問題がある。
【０００４】
本発明の課題は、上記問題点を解消することを目的とする。
【課題を解決するための手段】
【０００５】
この発明は、上記課題を解決すべく次のような技術的手段を講じた。
すなわち、請求項１記載の発明は、機体を操向する操作具（８）を備えたフロント操作ボックス（６）の横側部から、エンジン始動スイッチ（１１）を備えたスイッチボックス（１４）を前方に延出させて設け、このスイッチボックス（１４）には、運転席（５）の上方を覆うパラソル（１５）の支持具（１６）を挿入固定する取付ボス部（１７）を一体的に備えたパラソル取付ステー（１８）を前方に延出させて設けたことを特徴とする農作業車とする。
【０００６】
パラソル支持具（１６）は、スイッチボックス（１４）より前方に延出させたパラソル取付ステー（１８）の取付ボス部（１７）に挿入固定するものであるため、パラソル支持具（１６）を操作ボックス（６）の上側部から下方の機台上面まで長く延出する必要がなく、パラソル支持具（１６）そのものの長さが短くて済み、また、パラソルを運転席近くに設置する場合のように作業時オペレータの視界の妨げとなりにくく、刈取作業状況の確認が容易にできる。取り付けも一箇所での挿入固定によるため分解組立が容易に行える。
請求項２記載の発明は、前記パラソル（１５）を、上下方向および左右前後方向に位置変更可能に構成したことを特徴とする請求項１記載の農作業車とする。
【０００７】
パラソル支持具（１６）を取付ボス部（１７）に対して上下にスライド調節すれば、オペレータの体格に応じてパラソル（１５）の上下位置を容易に調節することができる。
また、パラソル（１５）は、例えばこのパラソル支持具（１６）をクランク状に形成し、取付ボス部（１７）に対して該取付ボス部（１７）の上下方向軸芯回りに回動させることによって左右前後に位置変更し、日差しの方向に合せてパラソル（１５）の位置を任意に調節することができる。
【発明の効果】
【０００８】
請求項１記載の発明によれば、パラソル（１５）を支持するパラソル支持具（１６）を短くすることができて安価に提供でき、また、作業時にオペレータの視界を邪魔することが無く、刈取作業状況を容易に確認でき、作業能率を高めることができる。更に、パラソルは中空の取付ボス部（１７）に挿入固定するものであるため、分解組立が容易にできる。
【０００９】
請求項２記載の発明によれば、請求項１記載の発明の効果を奏するものでありながら、作業者の体格に応じてパラソル（１５）の上下位置を簡単に調節することができ、また、日差しの方向に合せてパラソル（１５）の左右前後位置を容易に変更することができる。
【発明を実施するための最良の形態】
【００１０】
この発明の実施例を図面に基づき説明する。
図１及び図２は、農作業車の一例としてコンバインを示すものであり、この走行車体１には、左右一対の走行クローラ２，２を備え、後部に搭載した脱穀部（脱穀装置）３の前方部に刈取部４を設置し，刈取部４の横側部には運転席５やフロント操作ボックス６等からなる運転操作部を備え、更に、その運転操作部の後方には脱穀粒を一時的に貯留するグレンタンクＧを装備している。
【００１１】
フロント操作ボックス６上にはアーチ状の固定ハンドル杆７が突設されている。操作ボックス６の右側には、左右方向の操作で機体の進行方向を操向制御し、前後方向の操作で刈取部４を昇降制御する操作具（パワステレバー）８が設置されている。なお、運転席左側のサイド操作ボックス９上には変速レバー１０等が配置されている。
【００１２】
前記フロント操作ボックスの右横側部には、エンジン始動スイッチ１１、旋回力切替スイッチ１２等を備えたスイッチボックス１４が操作ボックスよりやや前方に延出して設けられている。
【００１３】
また、スイッチボックス１４には、パラソル１５を支持する支持具１６を挿入固定するための中空の取付ボス部１７を一体的に構成したパラソル取付ステー１８が前方に延出して設けられている。パラソル１５は、運転席に着座するオペレータの上方を覆う日除け或いは雨除けが可能な構成になっており、パラソル支持具１６が取付ボス部１７に挿通されて締付固定具１９により締付固定される。
【００１４】
パラソル支持具１６は、取付ボス部１７に挿通する鉛直方向の取付挿通部１６ａと、横向き水平方向のクランクアーム部１６ｂと、鉛直方向のパラソル支持部（柄）１６ｃとからなるように途中部からクランク状に形成されている。そして、パラソル支持具１６基部側の取付挿通部１６ａが取付ボス部１７に対して上下方向の縦軸芯Ｙ回りに回動固定自在で且つ上下方向にスライド固定自在に構成されている。従って、締付固定具１９を緩めてクランクアーム部１６ｂを縦軸芯Ｙ回りに回動させれば、パラソル１５がこのクランクアーム部１６ｂの回動範囲内で左右前後に位置変更されることになる。また、取付挿通部１６ａを取付ボス部１７に対して上下にスライド調節すれば、パラソルの高さが任意位置に調節されることになる。
【００１５】
なお、かかる実施例では、クランクアーム部１６ｂの先端に第２取付ボス部２０を設け、第２締付固定具２１を介してパラソル支持部１６ｃの上下調節が２段階で行えるように構成している。
【００１６】
また、パラソル収納時は、支持具１６を下方に移動させ、クランクアーム部１６ｃが操作ボックス６付近まで下がるようにして、パラソルをコンパクトに収納できる構成としている。
【００１７】
図４及び図５に示すように、パラソル１５と支持部１６ｃを運転席５側から簡単にセットでき、且つ、容易に収納できる位置に配置して、操作性の向上を図るようにしている。折り畳んだパラソル１５は、図例のように、パラソル取付ステー１８に固着して設けたパラソル収納保持具２２によって収納保持できるようになっており、上下方向の取付ボス部１７に対して平行するように配置することで、収納時に場所を取らず、コンパクトに収納することができる。
【００１８】
前記パラソル支持具のロック手段である締付固定具１９は、運転席から操作できる位置に配置することにより、運転位置に居ながらパラソルの上下位置やパラソルの作用位置を容易く変更することができる。
【００１９】
また、図８に示すように、パラソル支持具の途中部に旋回ハンドル２３２３を設けておくと、日差しの方向に合せてパラソルの作用位置を簡単、容易に変更することができる。
【図面の簡単な説明】
【００２０】
【図１】コンバインの側面図
【図２】コンバインの平面図
【図３】同上要部の平面図
【図４】同上要部の側面図
【図５】コンバインの正面図
【図６】パラソル取付ステーとパラソル収納保持具の平面図
【図７】同上側面図
【図８】コンバインの側面図
【符号の説明】
【００２１】
６    フロント操作ボックス
８    操作具
１１    エンジン始動スイッチ
１４    スイッチボックス
１５    パラソル
１６    パラソル支持具
１７    取付ボス部
１８    パラソル取付ステー
【図１】
2010051229.tif 000003
【図２】
2010051229.tif 000004
【図３】
2010051229.tif 000005
【図４】
2010051229.tif 000006
【図５】
2010051229.tif 000007
【図６】
2010051229.tif 000008
【図７】
2010051229.tif 000009
【図８】
2010051229.tif 000010